(57)【要約】      （修正有）【課題】水温加熱時間を減少して省エネと費用節約の効果を達成する、省エネ型温水器の提供。【解決手段】少なくとも殼体、加熱ユニット、吸熱ユニット、出水管及びブリッジ管を含み、加熱ユニットは殼体内部に設置され、燃焼部及び圧力起動部を含み、圧力起動部は入水口及び出水口を含み、入水口が水流を接受すると、燃焼部が点火され、吸熱ユニットは殼体内部に設置され、且つ燃焼部上方に位置し、出水管の一端が出水口に接続され、水流を受け取ると共に、その他端が吸熱ユニットに穿通され、ブリッジ管は入水口及び水流の間に位置し、その一端が水流に通じ、他一端が入水口に接続され、中段部位に予熱部が設けられ、予熱部が吸熱ユニット上方に配置され、ブリッジ管の予熱部の設置により、予熱部が燃焼部の予熱を収集する。【選択図】図３
0003137875.tif 000002
【実用新案登録請求の範囲】
【請求項１】
省エネ型温水器であって、少なくとも、殼体、加熱ユニット、吸熱ユニット、出水管、ブリッジ管を含み、前記殻体は内外に通じる内部空間を備え、前記加熱ユニットは前記殼体内部に設置され、燃焼部及び圧力起動部を含み、前記圧力起動部が入水口及び出水口を含み、前記入水口が水流を受け取り、前記燃焼部が点火され、前記吸熱ユニットは前記殼体内部に設置され、且つ前記燃焼部の上方に配置されると共に、前記出水管は一端が前記出水口に通じ、前記水流を受け取り、他端が前記吸熱ユニットに穿通され、前記吸熱ユニットが前記燃焼部の発生する熱を前記水流に伝導するために用いられ、そのうち、前記ブリッジが前記入水口及び前記水流の間に配置され、その一端が前記水流に通じ、他端が前記入水口に接続され、その中段部位に予熱部が設けられ、前記予熱部が前記吸熱ユニット上方に配置されることを特徴とする、省エネ型温水器。       
【請求項２】
前記予熱部が前記ブリッジ管を巻回して成ることを特徴とする、請求項１に記載の省エネ型温水器。
【請求項３】
前記殼体の上面に前記殼体内外に通じる少なくとも１つの開孔が設けられ、前記ブリッジ管の前記予熱部が前記開孔に隣接して設けられることを特徴とする、請求項１に記載の省エネ型温水器。
【考案の詳細な説明】
【技術分野】
【０００１】
本考案は温水器の構造に関し、特に、エネルギーを節約でき、水温を加熱することができる、省エネ型温水器に関する。
【背景技術】
【０００２】
図１に示すように、従来の温水器は殼体９１、加熱ユニット９２及び燃焼ユニット９３を備え、前記加熱ユニット９２及び前記燃焼ユニット９３がそれぞれ前記殼体９１内に設置され、前記加熱ユニット９２は熱交換器９２１及び水温を加熱することができる熱伝導管９２２を備え、前記熱伝導管９２２は前記熱交換器９２１に穿置され、前記熱伝導管９２２の両端がそれぞれ入水管９４及び出水管９５の一端に接続され、前記入水管９４及び前記出水管９５の他端が前記殼体９１の外に延伸され、前記燃焼ユニット９３が前記加熱ユニット９２下方に設置され、水流が進入し（図１の上矢印で示すように）、前記温水器が予め定めた大きさの水圧を検知すると、前記燃焼ユニット９３がガスのバルブが開き、前記温水器が燃焼を開始する。
【０００３】
前記出水管９５のバルブが開かれると、冷水が前記入水管９４から前記熱伝導管９２２に進入し、前記熱伝導管９２２中の冷水が前記熱交換器９２１の熱を吸収して温水となり、前記出水管９５から流出される。そのうち、冷水を温水にするには温水器が一定の時間燃焼する必要があり、必要とされる水温が高ければ高いほど、必要な加熱時間が長くなり、同時により多くのエネルギー（例：ガス）が使用され、使用者の金銭的負担が増加するほか、環境の負担も増加してしまう。
【考案の開示】
【考案が解決しようとする課題】
【０００４】
本考案の主な目的は、温水器内の管路の配置方式を変え、水温上昇速度を向上した、省エネ型温水器を提供することにある。
【０００５】
本考案の別の目的は、水温の加熱時間を減少し、エネルギー節約と費用節約の効果を達する、省エネ型温水器を提供することにある。      
【課題を解決するための手段】
【０００６】
前述の目的を達するため、本考案の省エネ型温水器は、少なくとも殼体、加熱ユニット、吸熱ユニット、出水管及びブリッジ管を含み、前記加熱ユニットは前記殼体内部に設置され、燃焼部及び圧力起動部を含み、前記圧力起動部は入水口及び出水口を含み、前記入水口が水流を接受すると、前記燃焼部が点火され、前記吸熱ユニットは前記殼体内部に設置され、且つ前記燃焼部上方に位置し、前記出水管の一端が前記出水口に接続され、前記水流を受け取ると共に、その他端が前記吸熱ユニットに穿通され、前記ブリッジ管は前記入水口及び前記水流の間に位置し、その一端が前記水流に通じており、他一端が前記入水口に接続され、そのうち、中段部位に予熱部が設けられ、前記予熱部が前記吸熱ユニット上方に配置される。    
【考案を実施するための最良の形態】
【０００７】
以下、本考案の最良の実施例について、図面に基づき詳細に説明する。
【実施例１】
【０００８】
図２、図３、図４に示すように、本考案の省エネ型温水器１は、少なくとも殼体１１、加熱ユニット１２、吸熱ユニット１３、出水管１４及びブリッジ管１５を含む。
【０００９】
前記殼体１１は２つの半分の殼体を相対させて組立てて成り、前記殼体１１内外に通じる内部空間を備えている。
【００１０】
前記加熱ユニット１２は前記殼体１１内部に設置され、燃焼部１２１及び圧力起動部１２２を含み、前記圧力起動部１２２は入水口１２２１及び出水口１２２２を含み、前記入水口１２２１は水流（図２及び図３の上矢印で示すように）を受け取り、前記燃焼部１２１が点火される。
【００１１】
前記吸熱ユニット１３は前記殼体１１内部に設置され、且つ、前記燃焼部１２１上方に配置される。
【００１２】
前記出水管１４は一端が前記出水口１２２２に接続されて前記水流を受け取り、他端が前記吸熱ユニット１３に穿通され、前記吸熱ユニット１３が前記燃焼部１２１の形成する熱を前記水流に伝達し、温水として流出させるために用いられる。
【００１３】
前記ブリッジ管１５は前記入水口１２２１及び前記水流の間に位置し、その一端が前記水流に通じており、他端が前記入水口１２２１に接続され、その中段部位に予熱部１５１が設けられ、前記予熱部１５１は前記吸熱ユニット１３上方に配置される。前記ブリッジ管１５の前記予熱部１５１の設置により、前記予熱部１５１が予め前記燃焼部１２１の予熱を収集し、水温の加熱に必要な時間を短縮して水温の加熱速度を向上することができ、本考案の省エネの効果が形成される。さらに、前記予熱部１５１がブリッジ管１５を巻回して成り、優れた予熱効果を備えており、且つ、ブリッジ管は鉄や銅の材質から製造することができる。
【００１４】
図３、図４に示すように、本考案の構造のうち、前記殼体１１の上面に前記殼体１１の内外に通じる少なくとも１つの開孔１１１が設けられ、前記ブリッジ管１５の前記予熱部１５１が前記開孔１１１に隣接して配置され、効果的に前記燃焼部１２１の予熱を収集して前記予熱部１５１へと導引することができ、予熱部１５１上方に設置された通気ネットカバー１５２から内部の予熱を温水器１の外へ排出することができる。
【実施例２】
【００１５】
図５及び図６に示すように、本考案の構造はさらに位置決め部１６を含むことができ、前記位置決め部１６は両端に開口を備えた中空体であり、前記殼体１１外側に設置され、その一端が前記殼体１１の前記開孔１１１に接続され、前記予熱部１５１が前記位置決め部１６の内部に設置され、予熱をより効果的に収集することができる。そのうち、図に示す矢印は前記水流を示す。
【００１６】
また、前記位置決め部１６は前記開孔１１１内に穿設することができ、前記位置決め部１６両端が前記殼体１１の内外にそれぞれ位置し、予熱の導引効果をより向上することができる。
【００１７】
図２及び図３に示すように、本考案の構造のうち、前記ブリッジ管１５は前記殼体１１の内側辺縁に沿って配置され、より外観を向上することができる。または、図４及び図５に示すように、前記ブリッジ管１５は前記殼体１１の外側辺縁に沿って配置することもできる。
【図面の簡単な説明】
【００１８】
【図１】従来の温水器の内部構造を示す正面図である。
【図２】本考案の最良の実施例１の立体斜視図である。
【図３】本考案の最良の実施例１の片側の殼体を取り外した後の内部構造を示す正面図である。
【図４】本考案の最良の実施例１の片側の殼体を取り外した後の分解正面図である。
【図５】本考案の最良の実施例２の立体斜視図である。
【図６】本考案の最良の実施例２の片側の殼体を取り外した後の内部構造を示す正面図である。
【符号の説明】
【００１９】
９１      殼体
９２      加熱ユニット
９２１    熱交換器
９２２    熱伝導管
９３      燃焼ユニット
９４      入水管
９５      出水管
１        温水器
１１      殼体
１１１    開孔
１２      加熱ユニット
１２１    燃焼部
１２２    圧力起動部
１２２１  入水口
１２２２  出水口
１３      吸熱ユニット
１４      出水管
１５      ブリッジ管
１５１    予熱部
１６      位置決め部
【図１】
0003137875.tif 000003
【図２】
0003137875.tif 000004
【図３】
0003137875.tif 000005
【図４】
0003137875.tif 000006
【図５】
0003137875.tif 000007
【図６】
0003137875.tif 000008